(57)【要約】【課題】プロジェクタにおいて、装置内部の埃を確実に排出することができ、装置内部に溜まった埃を取り除く手間を低減させる。【解決手段】プロジェクタ１は、ランプ２５等を冷却するための第１の大型ファン２６ａ及び第２の大型ファン２６ｂを有する第１のファンユニット２６と、一方向に回転する小型ファン２７ａを有する第２のファンユニット２７と、装置各部を制御する制御部３０と、各種情報が記憶されたメモリ２９とを備える。制御部３０がお掃除モードで動作しているとき、ユーザがパワーボタン２２ａを操作すると、制御部３０は、小型ファン２７ａを回転させて筐体１０内部の埃を図の黒矢印方向に飛散させると共に、第１の大型ファン２６ａ及び第２の大型ファン２６ｂを逆回転させる。これにより、小型ファン２７ａの回転によって飛散した埃が図の黒矢印方向に排出される。【選択図】図３
2008241938.tif 000002
【特許請求の範囲】
【請求項１】
パーソナルコンピュータやビデオカメラ等から出力された画像データが入力される信号入力手段と、
画像投影用の光を出射する光源と、
前記光源から出射された光を用いて、前記信号入力手段から入力された画像データに基づく画像を形成する画像形成手段と、
前記画像形成手段により形成された画像を拡大投射するためのレンズと、
ユーザによって操作され、装置に指示を行うための操作手段と、
前記光源を冷却するための２つの大型ファンと、
前記大型ファンのサイズよりも小型であり、一方向に回転する小型ファンと、
装置各部を制御する制御手段と、
前記制御手段を動作させるためのプログラムを記憶するための記憶手段とを備えるプロジェクタにおいて、
前記記憶手段には、前記制御手段を、装置内部に蓄積された埃を除去するためのお掃除モードで動作させるためのプログラムがさらに記憶され、
前記制御手段は、お掃除モードで動作するとき、前記小型ファンを回転させて装置内部の埃を飛散させ、該小型ファンの回転によって飛散した埃を、前記２つの大型ファンを逆回転させて装置外部に排出させることを特徴とするプロジェクタ。
【請求項２】
画像投影用の光を出射する光源と、
前記光源から出射された光を用いて、コンピュータ等から入力された画像データに基づく画像を形成する画像形成手段と、
前記光源を冷却するための第１のファンと、
前記第１のファンとは別の第の２ファンと、
装置各部を制御する制御手段とを備えるプロジェクタにおいて、
前記制御手段は、装置内部に蓄積された埃を除去するためのお掃除モードで動作可能であり、
前記制御手段は、お掃除モードで動作するとき、前記第２のファンを逆回転させて装置内部の埃を飛散させ、該第２のファンの回転によって飛散した埃を、前記第１のファンを逆回転させて装置外部に排出させることを特徴とするプロジェクタ。
【請求項３】
前記第１のファンは、複数の大型ファンを含むことを特徴とする請求項２に記載のプロジェクタ。
【発明の詳細な説明】
【技術分野】
【０００１】
本発明は、プロジェクタに関し、特に装置内部の埃を排出する技術に関する。
【背景技術】
【０００２】
従来からファンを回転させることにより装置内部に外気を流入させて光源等を冷却させるプロジェクタが知られている。この種のプロジェクタは、長期間使用すると埃が装置内部に溜まるので故障することがある。そのため、定期的に装置内部の埃を取り除くためのメンテナンス作業が必要である。
【０００３】
特許文献１及び特許文献２には、光源等を冷却するために装置内部に設けられたファンを逆回転させることにより、装置内部に溜まった埃を装置外部に排出することができるプロジェクタが開示されている。しかし、これらのプロジェクタでは、装置内部に溜まった埃を確実に排出することができない。そのため、メンテナンス作業の手間を十分に低減させることができない。
【特許文献１】特開平８−２０１９１７号公報
【特許文献２】特開２００４−６４０１０号公報
【発明の開示】
【発明が解決しようとする課題】
【０００４】
本発明は、上記問題を解決するためになされたものであり、装置内部の埃を確実に排出することができ、装置内部に溜まった埃を取り除く手間を低減させることができるプロジェクタを提供することを目的とする。
【課題を解決するための手段】
【０００５】
上記目的を達成するために請求項１の発明は、パーソナルコンピュータやビデオカメラ等から出力された画像データが入力される信号入力手段と、画像投影用の光を出射する光源と、前記光源から出射された光を用いて、前記信号入力手段から入力された画像データに基づく画像を形成する画像形成手段と、前記画像形成手段により形成された画像を拡大投射するためのレンズと、ユーザによって操作され、装置に指示を行うための操作手段と、前記光源を冷却するための２つの大型ファンと、前記大型ファンのサイズよりも小型であり、一方向に回転する小型ファンと、装置各部を制御する制御手段と、前記制御手段を動作させるためのプログラムを記憶するための記憶手段とを備えるプロジェクタにおいて、前記記憶手段には、前記制御手段を、装置内部に蓄積された埃を除去するためのお掃除モードで動作させるためのプログラムがさらに記憶され、前記制御手段は、お掃除モードで動作するとき、前記小型ファンを回転させて装置内部の埃を飛散させ、該小型ファンの回転によって飛散した埃を、前記２つの大型ファンを逆回転させて装置外部に排出させるものである。
【０００６】
請求項２の発明は、画像投影用の光を出射する光源と、前記光源から出射された光を用いて、コンピュータ等から入力された画像データに基づく画像を形成する画像形成手段と、前記光源を冷却するための第１のファンと、前記第１のファンとは別の第の２ファンと、装置各部を制御する制御手段とを備えるプロジェクタにおいて、前記制御手段は、装置内部に蓄積された埃を除去するためのお掃除モードで動作可能であり、前記制御手段は、お掃除モードで動作するとき、前記第２のファンを逆回転させて装置内部の埃を飛散させ、該第２のファンの回転によって飛散した埃を、前記第１のファンを逆回転させて装置外部に排出させるものである。
【０００７】
請求項３の発明は、請求項２に記載されたプロジェクタにおいて、前記第１のファンは、複数の大型ファンを含むものである。
【発明の効果】
【０００８】
請求項１の発明によれば、小型ファンの回転によって飛散した埃を、２つの大型ファンを逆回転させて装置外部に排出させることができるので、装置内部の埃を確実に装置外部に排出することができる。これにより、装置内部の埃を取り除くためのメンテナンス作業の手間を低減させることができ、また、装置内部に溜まった埃による装置の故障率を低減させることができる。
【０００９】
請求項２の発明によれば、第２のファンの回転によって飛散した埃を、第１のファンを逆回転させて装置外部に排出させることができるので、装置内部の埃を確実に装置外部に排出することができる。これにより、装置内部の埃を取り除くためのメンテナンス作業の手間を低減させることができ、また、装置内部に溜まった埃による装置の故障率を低減させることができる。
【発明を実施するための最良の形態】
【００１０】
以下、本発明の一実施形態に係るプロジェクタについて、図１乃至図３を参照して説明する。図１は、プロジェクタ１の外観を示し、図２及び図３はプロジェクタ１の内部構成を示す。図２は、大型ファン２６ａ、２６ｂが通常の方向に回転している状態であり、図３は、大型ファン２６ａ、２６ｂが逆回転している状態である。プロジェクタ１は、例えばパーソナルコンピュータやビデオカメラ等から入力された画像データを用いて画像を形成し、形成した画像を前方に設けられたスクリーン（図示せず）などに拡大して投影する装置である。
【００１１】
プロジェクタ１は、筐体１０と、パーソナルコンピュータやビデオカメラ等から出力された画像データが入力される信号入力部（信号入力手段）２３と、画像投影用の光を出射するランプ（光源）２５と、ランプ２５から出射された光を用いて、信号入力部２３から入力された画像データに基づく画像を形成する画像形成部（画像形成手段）２４と、画像形成部２４により形成された画像を拡大投射するためのレンズ２１とを備える。
【００１２】
また、プロジェクタ１は、ユーザによって操作され、装置に指示を行うための操作部（操作手段）２２と、ランプ２５等を冷却するための第１のファンユニット２６と、一方向に回転する小型ファン２７ａを有する第２のファンユニット２７と、光の強さを測定可能なフォトダイオード２８と、ユーザに対して、各種警告を報知することができるＬＥＤ１３と、各種情報が記憶されたメモリ（記憶手段）２９と、装置各部を制御する制御部（制御手段）３０とをさらに備える。
【００１３】
メモリ２９には、制御部３０を動作させるためのプログラムや、フォトダイオード２８によって測定されるランプ２５の光の強さの基準値等が記憶されている。メモリ２９に記憶されているプログラムは、制御部３０を、画像を投影させることができる通常モードとして動作させ、また、装置内部に埃が溜まっていることをユーザに報知し、埃を取り除くようにユーザに促すためのお掃除モードとして動作させることができるものである。
【００１４】
制御部３０は、ＬＥＤ１３、操作部２２、信号入力部２３、画像形成部２４、ランプ２５、第１のファンユニット２６、第２のファンユニット２７、フォトダイオード２８、及びメモリ２９を制御する。
【００１５】
第１のファンユニット２６は、第１の大型ファン２６ａ及び第２の大型ファン２６ｂを有する。筐体１０内部の一方の側面に第１のファンユニット２６が設けられ、他方の側面に第２のファンユニット２７が設けられている。小型ファン２７ａは、２つの大型ファン２６ａ、２６ｂのサイズよりも小型である。
【００１６】
制御部３０は、通常モードで動作するとき、図２に示すように、第１の大型ファン２６ａ及び第２の大型ファン２６ｂを回転させて、外気を筐体１０の側面に形成された通気孔１１、１２から図の白抜き矢印方向に流入させる。筐体１０内部に送風された外気は、筐体１０内部を通り抜けて小型ファン２７ａが位置する側の筐体１０に側面に形成された通気孔（図示せず）から筐体１０の外部に通気される。
【００１７】
操作部２２は、第１のファンユニット２６の逆回転、及び第２のファンユニット２７の回転を指示するためのパワーボタン２２ａと、制御部３０に各種動作を指示するためのボタン２２ｂ、２２ｃとを有する。
【００１８】
フォトダイオード２８は、ランプ２５から出射される光の強さを測定し、測定した光の強さを制御部３０に出力する。ＬＥＤ１３は、制御部３０により点灯制御され、ユーザに対して筐体１０内部に埃が溜まっていること等の報知を行う。
【００１９】
制御部３０は、フォトダイオード２８を用いてランプ２５から出射される光の強さを測定し、測定した光の強さが、メモリ２９に記憶されている光の強さの基準値以下の場合、ＬＥＤ１３を点灯させてお掃除モードで動作する。制御部３０は、ＬＥＤ１３を点灯させることにより、筐体１０内部に埃が溜まっていることをユーザに報知する。
【００２０】
制御部３０がお掃除モードで動作しているとき、ユーザが操作部２２の内のパワーボタン２２ａを操作すると、制御部３０は、図３に示すように、小型ファン２７ａを回転させて筐体１０内部の埃を図の黒矢印方向に飛散させると共に、第１の大型ファン２６ａ及び第２の大型ファン２６ｂを逆回転させる。これにより、小型ファン２７ａの回転によって飛散した埃が図の黒矢印方向に排出される。
【００２１】
上記のように、本実施形態に係るプロジェクタ１によれば、小型ファン２７ａの回転によって飛散した埃を、第１の大型ファン２６ａ及び第２の大型ファン２６ｂを逆回転させて筐体１０外部に排出させることができるので、筐体１０内部の埃を確実に筐体１０外部に排出することができる。これにより、筐体１０内部の埃を取り除くためのメンテナンス作業の手間を低減させることができ、また、筐体１０内部に溜まった埃による装置の故障率を低減させることができる。
【００２２】
なお、本発明は、上記の実施形態の構成に限定されるものではなく、発明の趣旨を変更しない範囲で種々の変更が可能である。例えば、上記の実施形態では、筐体１０内部に埃が溜まっているとき、制御部３０がＬＥＤ１３を点灯させる例を示したが、これに限られない。例えば、プロジェクタ１が、警告音発生部をさらに備え、筐体１０内部に埃が溜まっているとき、制御部３０が警告音発生部を制御することにより警告音を鳴らして、筐体１０内部に埃が溜まっていることをユーザに報知するものであってもよい。
【図面の簡単な説明】
【００２３】
【図１】本発明の一実施形態に係るプロジェクタの斜視図。
【図２】上記プロジェクタの構成を示すブロック図。
【図３】上記プロジェクタの構成を示すブロック図。
【符号の説明】
【００２４】
１  プロジェクタ
２１  レンズ
２２  操作部（操作手段）
２３  信号入力部（信号入力手段）
２４  画像形成部（画像形成手段）
２５  ランプ（光源）
２６  第１のファンユニット（第１のファン、大型ファン）
２６ａ  第１の大型ファン（第１のファン、大型ファン）
２６ｂ  第２の大型ファン（第１のファン、大型ファン）
２７  第２のファンユニット（第２のファン、小型ファン）
２７ａ  小型ファン（第２のファン）
２９  メモリ（記憶手段）
３０  制御部（制御手段）
【図１】
2008241938.tif 000003
【図２】
2008241938.tif 000004
【図３】
2008241938.tif 000005